(57)【特許請求の範囲】
【請求項１】
両端部に大小のペン芯を備え、軸筒内部にインクが充填された中綿を収容する収容部を形成し、前記軸筒の一部が分割可能に螺合されるとともに、その分割部が前記収容部の開口部を形成し、前記軸筒を分割して収容部内の中綿へのインクの補充や中綿の交換を可能とした筆記具において、
分割された軸筒のうちの一方側の軸筒が他方側の軸筒よりも短くかつ分割端部の外周に雄ネジが形成され、他方側の軸筒の分割端部の内周に雌ネジが形成されていて、各軸筒内部の収容部空間内に中綿を収容した状態で該雄ネジを雌ネジに螺合させて分割された軸筒同士を着脱可能に螺合させ、
一方側および他方側の軸筒端部に備えたペン芯を覆う各キャップの外径について、一方側の軸筒に設けたキャップの外径よりも、他方側の軸筒に設けたキャップの外径が大径に形成されており、
前記分割された軸筒のうちの少なくとも一方側の外周部をショアＡ硬度２０〜６０の弾性体で被覆することを特徴とする筆記具。
【請求項２】
前記弾性体は、分割された軸筒のうちの短い一方側の軸筒の外周部に取付けられることを特徴とする請求項１に記載の筆記具。
【請求項３】
前記弾性体は、軸筒の成形時に該軸筒の樹脂成形品と一体成形されることを特徴とする請求項１または２に記載の筆記具。
【請求項４】
前記弾性体は、材質にゴムまたはエラストマを含むことを特徴とする請求項１乃至３のうちの何れか一項に記載の筆記具。
【請求項５】
前記弾性体は、架橋状態が７０％以上であるオレフィン系エラストマとすることを特徴とする請求項１乃至３のうちの何れか一項に記載の筆記具。
【発明の詳細な説明】
【０００１】
【発明の属する技術分野】
本発明は、筆記具の構造に関し、特に、軸筒を分割して軸筒内に収容される中綿を交換したり、中綿にインクを補充するタイプの筆記具に関するものである。
【０００２】
【従来の技術】
従来、筆記具において、インクを保有するためにインクが含浸された中綿を軸筒内に収容した中綿式筆記具が多く用いられている。
このような中綿式筆記具においては、中綿を密閉するために先軸を軸筒に固定する方式として、ネジ嵌合を利用することはすでに知られている。
また、近年、一本の筆記具の両端部にペン先を備え、一方を太書き用として他方を細書き用とした、いわゆる両頭式の筆記具も多く用いられているが、このような両頭式の筆記具においても、ネジ嵌合で先軸を軸筒に固定する方式は、従来から行なわれていた。
このような中綿式筆記具において、インクが消耗した場合には中綿を交換したり、インクを補充することで、筆記具本体を引き続き再使用するものが知られている。
【０００３】
【発明が解決しようとする課題】
しかしながら、軸筒の一部を分割して、その分割部を螺合締結することで、中綿交換時やインク補充時の際に軸筒を分割可能とした中綿式筆記具においては、軸筒の分割時や締結時にネジ部を回すためには力が必要であり、軸筒を握る力が弱い者にとっては、この軸筒の分割、締結作業が困難な場合があった。
そこで、軸筒を握りやすくするために、凹凸部を有するローレット状のものを軸筒外周に形成したものが知られているが、通常のＰＰ等の樹脂材では滑り易く効果的ではなかった。
【０００４】
本発明は、上記従来の問題点に鑑みてなされたものであり、簡単な構造で軸筒を滑り難く、握り易くして、容易に軸筒の分割、締結を行なうことができる筆記具を提供することを目的とするものである。
【０００５】
【課題を解決するための手段】
本発明は、筆記具に係り、両端部に大小のペン芯を備え、軸筒内部にインクが充填された中綿を収容する収容部を形成し、前記軸筒の一部が分割可能に螺合されるとともに、その分割部が前記収容部の開口部を形成し、前記軸筒を分割して収容部内の中綿へのインクの補充や中綿の交換を可能とした筆記具において、
分割された軸筒のうちの一方側の軸筒が他方側の軸筒よりも短くかつ分割端部の外周に雄ネジが形成され、他方側の軸筒の分割端部の内周に雌ネジが形成されていて、各軸筒内部の収容部空間内に中綿を収容した状態で該雄ネジを雌ネジに螺合させて分割された軸筒同士を着脱可能に螺合させ、
一方側および他方側の軸筒端部に備えたペン芯を覆う各キャップの外径について、一方側の軸筒に設けたキャップの外径よりも、他方側の軸筒に設けたキャップの外径が大径に形成されており、
前記分割された軸筒のうちの少なくとも一方側の外周部をショアＡ硬度２０〜６０の弾性体で被覆することを特徴とする。
【０００６】
また、前記弾性体は、分割された軸筒のうちの短い一方側の軸筒の外周部に取付けられることが好ましい。
また、前記弾性体は、軸筒の成形時に該軸筒の樹脂成形品と一体成形すること、すなわち、グリップ部とネジを成形する成形品を一体に成形することが好ましい。
また、前記弾性体は、材質にゴムまたはエラストマを含むものであって、例えば、ＮＢＲ、ＥＰＤＭ、シリコンゴム等の成形品や、オレフィン系エラストマやスチレン系のエラストマ等の成形品とすることが好ましい。
また、前記弾性体は、架橋状態が７０％以上であるオレフィン系エラストマとすることが好ましい。
【０００７】
本発明によれば、以下のような作用が得られる。
すなわち、軸筒内部にインクが充填された中綿を収容する収容部を形成し、前記軸筒の一部が分割可能に螺合されるとともに、その分割部が前記収容部の開口部を形成し、前記軸筒を分割して収容部内の中綿へのインクの補充や中綿の交換を可能とした筆記具において、軸筒を握る部分にゴム、エラストマ等の弾性体を設けることにより、滑り難く、握り易くすることができる。
【０００８】
また、前記筆記具は、通常使用時は筆記時に外れたり弛んだりすることが無いように、強く締結され、中綿を交換する時には小さい力で軸筒を分割できることが望ましい。そのため、軸筒の外周に弾性体を設けることで、軸筒を握りやすくして、回し易くすることで軸筒の分割、締結が容易にできる。
【０００９】
また、弾性体のグリップ部は、軸筒の両側端に設けることが軸筒を開閉する上で望ましいが、軸筒外周の印刷やデザインなどに規制されるため、一方側につける場所としては、軸分割した場合の短い軸筒側、すなわち、ネジ開閉時に長さが短く握り難く、軸に力を伝え難い側にグリップの弾性体を設けたほうが効果的である。
【００１０】
また、前記弾性体は、軸筒の成形時に同系統の樹脂を使用して一体形成することによりグリップとネジを成形する成形品を一体にし、グリップ感の向上を図るとともに、手で軸筒を回転させる際に、一部品になっているため、軸筒とグリップとが滑る恐れもなく、締結時に滑り難く締め易くなる。また、例えば、オレフィン系樹脂であるＰＰ、ＰＥにスチレン系またはオレフィン系のエラストマを組み合わせることにより、一体成形で接着力の効果が得られる。また、非オレフィン系においては、スチレン系またはエステル系において接着力が得られる。
【００１１】
また、前記弾性体は、架橋状態が７０％以上であるオレフィン系エラストマとすることで低圧縮永久歪、シール性、耐油性、耐化学薬品性、耐熱性に対して優れた性能を示す。
【００１２】
【発明の実施の形態】
以下、本発明の実施形態を、図面を参照して詳細に説明する。
図１、図２は発明を実施する形態の一例であって、図１は、本発明の実施形態に係る中綿式の筆記具の全体構成を示す側面断面図、図２は前記筆記具の軸筒の構成を示す側面図である。
【００１３】
本実施形態は、図１、図２に示すように、軸筒２の両端部に大小のペン芯８、９を備え、該軸筒２内部にインクが充填された中綿６を収容する収容部７を形成し、該軸筒２を２分割して収容部７内の中綿６へのインクの補充や中綿６の交換を可能とした２個のペン芯８、９を有するツインタイプの中綿式の筆記具１である。
【００１４】
前記軸筒２は、図２に示すように、一方端に略円形断面を有する先細状の細字用ペン芯８が取付けられる細側端部３ａを備えた細側軸筒３と、他方端に矩形状断面を有し先端部がくさび状の太字用ペン芯９が取付けられる太側端部４ａを備えた太側軸筒４とに軸心方向で分割されたものであって、螺合締結により着脱可能とされている。
【００１５】
前記細側軸筒３は、図２に示すように、細側端部３ａと反対側に胴部３ｂが形成されている。前記胴部３ｂは、後述する太側軸筒４の胴部４ｂよりも短く、略円筒形状を呈するとともに、前記細側端部３ａに近い一部が細側端部３ａに向かい先細のテーパ状に形成されている。
【００１６】
前記胴部３ｂの端部には、図１に示すように、太側軸筒４側と螺合締結するための雄ネジ部３ｃが突出形成され、また、その内部には中綿６の一部が収容される収容部３ｄが形成されている。前記収容部３ｄは、前記胴部３ｂ端部付近の開口３ｅの形状を中綿６の外形よりも大きく形成され、内部空間３ｆの形状を中綿の外形と略同寸法で形成されている。
【００１７】
前記胴部３ｂの外周部には、円筒状の端部付近から細側端部３ａの基部付近の全周に亘り、外周面より一段低く凹部３ｈが形成され、その凹部３ｈの円筒状外周部とテーパ状外周部を覆うように弾性体であるグリップ部１１が該胴部３ｂと一体的に形成されている。
【００１８】
前記グリップ部１１は、材質にオレフィン系樹脂であるＰＰ、ＰＥにスチレン系またはオレフィン系のエラストマを組み合わせたものであって、その硬度はショアＡ硬度２０〜６０の範囲としている。
【００１９】
前記太側軸筒４は、図２に示すように、太側端部４ａの反対側に胴部４ｂが形成されている。前記胴部４ｂは、略円筒形状を呈するとともに、図１に示すように、その端部の内周部には細側軸筒３側と螺合締結するための雌ネジ部４ｃが形成され、その内部には中綿６の一部が収容される収容部４ｄが形成されている。
【００２０】
前記収容部４ｄは、前記胴部４ｂの内部空間４ｆの形状を開口４ｅから太側端部４ａ付近までの形状を中綿６の外形よりも大きい筒状とし、前記太側端部４ａの内部空間４ｇの形状を中綿６の外形よりも狭い形状で、中綿６がきつい嵌合で装着されるように構成されている。
【００２１】
前記細字用ペン芯８および太字用ペン芯９は、図１に示すように、それぞれの端部が収容部７内で中綿６の両端部に各々嵌挿され、該中綿６に含浸されたインクが両端部より細字用ペン芯８および太字用ペン芯９に浸透してどちらのペン芯でも筆記可能となっている。
【００２２】
図１に示すように、細側端部３ａには、細字用ペン芯８を覆うように細側キャップ１３が着脱自在に装着され、太側端部４ａには、太字用ペン芯９を覆うように太側キャップ１４が着脱自在に装着されている。
前記細側キャップ１３は、その外径が太側キャップの外径よりも小さく形成されているので、両方のキャップ１３、１４を装着した状態であっても、一目でペン芯の太さが解かるようになっている。
【００２３】
次に、本実施形態の筆記具１による作用について説明する。
本実施形態に係る筆記具１は、インクの補充や中綿の交換を行なう場合、軸筒２を分割して軸筒２内の収容部７を開放した状態で行なう。
まず、図１に示すように、細側軸筒３と太側軸筒４の胴部３ｂ、４ｂを各々把持してネジ部が弛緩する方向に回転させる。
この時、胴部４ｂの長い太側軸筒４はしっかりと確実に把持することができる。一方、胴部３ｂの短い細側軸筒３は把持し辛い。しかしながら、胴部３ｂの外周に設けられたグリップ部１１により滑りにくくなっているので、把持範囲が少ない場合であっても容易に把持して回転させることができる。
【００２４】
また、前記筆記具１により筆記を行なう場合には、軸筒２の両端部に装着される細側キャップ１３または太側キャップ１４を外して大小何れかのペン芯８、９を出して行なう。
【００２５】
キャップを外す場合は、一方の手でキャップを把持し、他方の手で軸筒を把持して、双方を捻りまたは引き離す方向に力を加えてキャップと軸筒とを離脱させる操作となる。
【００２６】
ここで、キャップと軸筒との嵌合力は、通常、係合するキャップの内面と軸筒の外面との接触面積の大きさによる摩擦力に係る。したがって、細側キャップ１３と太側キャップ１４とを比較すると、接触する外周面積の小さい細側端部３ａと嵌合する細側キャップの方が、接触する外周面積の大きい太側軸端部と嵌合する太側キャップよりも嵌合力が小さいため、着脱し易いといえる。
【００２７】
本実施形態の筆記具１は、図１に示すように、軸筒２の分割部５を細側端部３ａ寄りに構成したので、嵌合力が大きい太側キャップ１４を着脱する場合は、軸筒２側を把持する際に太側軸筒４とともに分割部５を把持する（細側軸筒３も同時に把持する）ようになるので、分割部５のネジ部が弛むことを防止することができる。
【００２８】
一方、嵌合力の小さい細側キャップ１３を着脱する場合は、軸筒２側を把持する際に太側軸筒４とともに分割部５を把持しない（細側軸筒３を把持しない）状態であっても、太側キャップ１４を外す場合よりも力が掛からないために、分割部のネジ部が弛み難くなる。
【００２９】
以上のように構成したので、本実施形態の筆記具１によれば、細側軸筒３の胴部３ｂの外周部の全周に亘り外周面より一段低く凹部３ｈを形成し、その凹部３ｈにグリップ部１１を胴部３ｂと一体的に設けることで、細側軸筒３を把持する際に胴部３ｂとグリップ部１１とが滑ること無く、確実に細側軸筒３を把持することができるとともに、グリップ感の向上を図ることができる。
【００３０】
また、本実施形態によれば、前記グリップ部１１の材質を、オレフィン系樹脂であるＰＰ、ＰＥにスチレン系またはオレフィン系のエラストマを組み合わせたものとしたので、一体成形時の接着力を得ることができる。また、グリップ部１１の硬度をショアＡ硬度２０〜６０の範囲としたので、良好なグリップ感を実現できる。
【００３１】
また、本実施形態によれば、２種類のペン芯８、９を両端部に備えた軸筒２を、細いペン芯８を備えた細側軸筒３と、太いペン芯９を備えた太側軸筒４とに分割するとともに、細側軸筒３の胴部３ｂを太側軸筒４の胴部４ｂよりも短く構成したので、嵌合力が大きい太側キャップ１４を着脱する場合に、軸筒２側を把持する際に太側軸筒４とともに分割部５を把持するようになり、分割部５のネジ部が弛むことを防止することができる。また、嵌合力の小さい細側キャップ１３を着脱する場合には、軸筒２側を把持する際に太側軸筒４とともに分割部５を把持しない状態であっても、太側キャップ１４を外す場合よりも力が掛からないために、分割部のネジ部が弛み難くできる。
【００３２】
次に、本実施形態の変形例１について図面を参照して説明する。
変形例１の筆記具１００は、図３に示すように、前述した本実施形態に係る筆記具１と略同様な構成を有し、さらに、グリップ部１１１の外周部に溝部１１１ａを形成したものである。
すなわち、筆記具１００は、軸筒１０２を、一方端に略円形断面を有する先細状の細字用ペン芯８が取付けられる細側軸筒１０３と、他方端に矩形状断面を有し先端部がくさび状の太字用ペン芯９が取付けられる太側軸筒１０４とに軸心方向で分割したものであって、螺合締結により着脱可能に構成したものである。
【００３３】
前記細側軸筒１０３は、細側端部１０３ａと反対側に胴部１０３ｂが形成されている。前記胴部１０３ｂは、太側軸筒１０４の胴部１０４ｂよりも短く、略円筒形状を呈するとともに、前記細側端部１０３ａに近い一部が細側端部１０３ａに向かい先細のテーパ状に形成されている。
【００３４】
前記胴部１０３ｂの端部には、図３に示すように、太側軸筒１０４側と螺合締結するための雄ネジ部１０３ｃが突出形成され、また、その内部には中綿６の一部が収容される収容部１０３ｄが形成されている。前記収容部１０３ｄは、前記胴部１０３ｂ端部付近の開口１０３ｅの形状を中綿６の外形よりも大きく形成され、内部空間１０３ｆの形状を中綿６の外形と略同寸法で形成されている。
【００３５】
前記胴部１０３ｂの外周部には、円筒状の端部付近から細側端部１０３ａの基部付近の全周に亘り外周部とテーパ状外周部を覆うように弾性体であるグリップ部１１１が該胴部１０３ｂと一体的に設けられている。
【００３６】
前記グリップ部１１１は、材質にオレフィン系樹脂であるＰＰ、ＰＥにスチレン系またはオレフィン系のエラストマを組み合わせたものであって、その硬度はショアＡ硬度２０〜６０の範囲としている。該グリップ部１１１の円筒状に形成された外周面には、軸心方向に沿った方向に対して傾けた状態で、円周方向に沿って複数列の溝部１１１ａが形成されている。
【００３７】
前記太側軸筒１０４は、太側端部１０４ａの反対側に胴部１０４ｂが形成されている。前記胴部１０４ｂは、略円筒形状を呈するとともに、その端部の内周部には細側軸筒１０３側と螺合締結するための雌ネジ部１０４ｃが形成され、その内部には中綿６の一部が収容される収容部１０４ｄが形成されている。
前記収容部１０４ｄは、前記胴部１０４ｂの内部空間１０４ｆの形状を開口１０４ｅから太側端部１０４ａ付近までの形状を中綿６の外形よりも大きい筒状とし、前記太側端部１０４ａの内部空間（図示省略）の形状を中綿６の外形よりも狭い形状で、中綿６がきつい嵌合で装着されるように構成されている。
【００３８】
以上のように構成したので、変形例１の筆記具１００によると、グリップ部１１１の外周部に溝部１１１ａを形成したことにより、実施形態に係る筆記具１のグリップ部１１と比較して、さらに滑り難くなり、確実に把持することができる。
【００４７】
尚、本発明の筆記具の構成は、前述した図示例にのみ限定されるものではなく、本発明の要旨を逸脱しない範囲内において種々変更を加え得ることは勿論である。例えば、前記図示例においては、軸筒の何れか一方にグリップ部を設けているが、分割される両端部にグリップ部を設けるようにしたものであっても良い。
【００４９】
【発明の効果】
以上、説明したように本発明の請求項１〜５記載の筆記具によれば、簡単な構造で、軸筒を滑り難く握り易くして、容易に軸筒の分割、締結を行なうことができるという優れた効果を奏する。
詳しくは、軸筒を分割して収容部内の中綿へのインクの補充や中綿の交換を可能とした筆記具において、軸筒を握る部分にゴム、エラストマ等の弾性体のグリップ部を設けることにより、滑り難く、握り易くすることができる。また、弾性体のグリップ部は、分割した軸筒の短い軸筒側、すなわち、軸筒の分割時に長さが短く、握り難く、軸に力を伝え難い側に弾性体のグリップ部を設けたほうがより効果的である。
【００５０】
また、前記弾性体は、軸筒の成形時に同系統の樹脂を使用して軸筒と一体形成することにより、ネジ部が形成される成形品とグリップ部とを一体に構成して、グリップ感の向上を図るとともに、手で軸筒を回転させる際に、一部品になっているため軸筒とグリップとが滑る恐れもなく、締結時に滑り難く締め易くなる。
また、前記弾性体は、例えば、オレフィン系樹脂であるＰＰ、ＰＥにスチレン系またはオレフィン系のエラストマを組み合わせることにより、一体成形時に接着力の効果が得られる。また、非オレフィン系においては、スチレン系またはエステル系において接着力が得られる。さらに、前記弾性体の材質に、架橋状態が７０％以上であるオレフィン系エラストマを使用することで、低圧縮永久歪、シール性、耐油性、耐化学薬品性、耐熱性に対して優れた性能を示す。
【図面の簡単な説明】
【図１】  本発明の実施形態に係る中綿式の筆記具の全体構成を示す側面断面図である。
【図２】  前記筆記具の軸筒の構成を示す側面図である。
【図３】  前記筆記具の変形例１の構成を示す側面断面図である。
【符号の説明】
１、１００  筆記具
２、１０２  軸筒
３、１０３  細側軸筒
３ａ、１０３ａ  細側端部
３ｂ、１０３ｂ  胴部
３ｃ、１０３ｃ  雄ネジ部
３ｅ、１０３ｅ  開口
３ｄ、１０３ｄ  収容部
３ｆ、１０３ｆ  内部空間
３ｈ  凹部
４、１０４  太側軸筒
４ａ、１０４ａ  太側端部
４ｂ、１０４ｂ  胴部
４ｃ、１０４ｃ  雌ネジ部
４ｄ、１０４ｄ  収容部
４ｅ、１０４ｅ  開口
４ｆ、１０４ｆ  内部空間
４ｇ  内部空間
５  分割部
７  収容部
８  細字用ペン芯
９  太字用ペン芯
１１、１１１  グリップ部
１３  細側キャップ
１４  太側キャップ
１１１ａ  溝部
【図１】
0004812193.tif 000002
【図２】
0004812193.tif 000003
【図３】
0004812193.tif 000004